(57)【要約】【課題】  電気コネクター自体における静電気の発生を抑制することにより、製品に内蔵されているＩＣ等の電子部品が電気コネクターの静電気によって破壊される等の静電気障害が発生しないようにすることを目的とする。【解決手段】  雄形コネクター４が、電子部品を内蔵する製品の筐体６に取り付けられ、雄形コネクター４の絶縁性部材５ｂと雌形コネクター１の絶縁性部材２ｂは、相互に擦れ合って嵌り合うカセット式に形成され、雌形コネクター４の絶縁性部材２ｂの外周面を覆うように静電気上は導体としての特性を有する材料である静電気上の導体２ａが設けられている。【選択図】        図２
2006040559.tif 000002
【特許請求の範囲】
【請求項１】
絶縁性部材及び該絶縁性部材から突出した突出端子を有する雄形コネクターと、上記突出端子が挿入される穴を有する絶縁性部材及び上記穴内部に上記突出端子と電気的に接続される内部端子を有する雌形コネクターとを備え、
上記雄形コネクター及び雌形コネクターのいずれか一方の上記絶縁性部材が電子部品を内蔵する製品に取り付けられ、上記電子部品から電気信号を送信あるいは上記電子部品へ電気信号を受信するものであり、
上記雄形コネクターの絶縁性部材と上記雌形コネクターの絶縁性部材とは、相互に擦れ合って嵌り合うカセット式に形成された電気コネクターにおいて、
上記雄形コネクターの絶縁性部材の外周面及び上記雌形コネクターの絶縁性部材の外周面の少なくともいずれか一方の外周面が、静電気上の導体である材料で覆われていることを特徴とする電気コネクター。
【請求項２】
絶縁性部材及び該絶縁性部材から突出した突出端子を有する雄形コネクターと、上記突出端子が挿入される穴を有する絶縁性部材及び上記穴内部に上記突出端子と電気的に接続される内部端子を有する雌形コネクターとを備え、
上記雄形コネクター及び雌形コネクターのいずれか一方の上記絶縁部材が電子部品を内蔵する製品に取り付けられ、上記電子部品から電気信号を送信あるいは上記電子部品へ電気信号を受信するものであり、
上記雄形コネクターの絶縁性部材と上記雌形コネクターの絶縁性部材とは、相互に擦れ合って嵌り合うカセット式に形成された電気コネクターにおいて、
上記雄形コネクターの絶縁性部材と上記雌形コネクターの絶縁性部材は同一材料で構成されていることを特徴とする電気コネクター。
【請求項３】
絶縁性部材及び該絶縁性部材から突出した突出端子を有する雄形コネクターと、上記突出端子が挿入される穴を有する絶縁性部材及び上記穴内部に上記突出端子と電気的に接続される内部端子を有する雌形コネクターとを備え、
上記雄形コネクター及び雌形コネクターのいずれか一方の上記絶縁部材が電子部品を内蔵する製品に取り付けられ、上記電子部品から電気信号を送信あるいは上記電子部品へ電気信号を受信するものであり、
上記雄形コネクターの絶縁性部材と上記雌形コネクターの絶縁性部材とは、相互に擦れ合って嵌り合うカセット式に形成された電気コネクターにおいて、
上記雄形コネクターの絶縁性部材及び上記雌形コネクターの絶縁性部材の少なくともいずれかの絶縁性部材は、静電気上の半導体であることを特徴とする電気コネクター。
【請求項４】
上記穴の径を、上記突出端子の径より大きくして、上記突出端子が上記穴の内壁と接触しないようにしたことを特徴とする請求項１ないし３のいずれかに記載の電気コネクター。
【請求項５】
端子固定用の部材及び該端子固定用の部材から突出した突出端子を有する雄形コネクターと、上記突出端子が挿入される穴を有する部材及び上記穴内部に上記突出端子と電気的に接続される内部端子を有する雌形コネクターとを備え、
上記雄形コネクター及び雌形コネクターのいずれか一方の上記部材が、電子部品を内蔵する製品に取り付けられ、上記電子部品から電気信号を送信あるいは上記電子部品へ電気信号を受信するものであり、
上記雄形コネクターの端子固定用の部材と上記雌形コネクターの穴を有する部材とは、相互に擦れ合って嵌り合うカセット式に形成された電気コネクターにおいて、
上記製品に取り付けられたコネクターの上記部材は上記端子を電気的に絶縁する絶縁材料からなり、
上記製品に取り付けられていないコネクターの上記部材は、静電気上の導体である材料からなることを特徴とする電気コネクター。
【発明の詳細な説明】
【技術分野】
【０００１】
本発明は、雄形コネクターと雌形コネクターとからなる電気コネクターに関し、電気コネクターの静電気の発生を抑制し、製品の内部に搭載されたＩＣ等の電子部品が電気コネクターの抜き差しによって絶縁破壊するのを抑制することができる技術に関するものである。
【背景技術】
【０００２】
近年、システムＬＳＩを搭載した電子・電気機器が大量に生産されている。これらの電子・電気機器等の製品には電気信号を導入する電気コネクターが設けられている。製品に取り付けられた電気コネクターが、例えば、雄形コネクターの場合には、客先において、製品に取り付けられた雄形コネクターに雌型コネクターが抜き差しされる。また、製造現場において、製品の電気コネクターの構造や電気特性を検査するために、製品に取り付けられた雄形または雌形コネクターに対応して、雌形または雄形コネクターが多数回にわたって抜き差しされる。
【０００３】
電気コネクターには、端子を絶縁するための絶縁性部材が雄側と雌側とを嵌め合わせるカセット式になっているものがあり、嵌め合わせが良く密着性があるため、摩擦面積はかなり大きいと予想される。さらに、電気コネクターの絶縁性部材は高抵抗な、例えば、ポリブチルテレフタレート（ＰＢＴ）等でできており、電気抵抗率が１０１５Ω・ｍ以上の高抵抗材料である。従って、摩擦によって電荷が発生すると、そのまま保持され、なかなか緩和されない。
【０００４】
このように、電気コネクターには抜き差しによって静電気が蓄積され、蓄積された静電気が放電されると、製品に内蔵されたＩＣ等の電子部品が絶縁破壊する可能性がある。
【０００５】
今後、電子・電気機器搭載のＩＣもさらに微細化、高密度化する傾向にあり、静電気問題が顕著になる可能性がある。
【０００６】
この静電気問題の対策としてはイオナイザ（除電器）の設置による電気コネクターの除電が検討されている。しかし、ダストが多い作業環境ではイオナイザの放電針が汚染され、すぐに除電効率が悪化するので、イオナイザの除電効果を良くするための掃除（メンテナンス）は毎日必要であり、設置・保守のコストが大きくなる。
【０００７】
従って、電気コネクターの静電気の発生を防止したり、発生した静電気を速やかに逃がすことができるような方策を講じることが、製品の歩留向上及び信頼性向上を図る上で極めて有用である。
【０００８】
特許文献１には、板バネを用いたスイッチを利用して、電気コネクターが差込まれた瞬間にスイッチの接点が接地線側の接点に接続されて、電気コネクターまたは人体に帯電していた静電気の放電が接地線からアース側に逃がされ、電気コネクターが完全に差し込まれたときにスイッチの接点が接地線側の接点から電気信号を供給する回路側の接点に切り換えられて、電気コネクターの端子に入力された電気信号が回路側に流れるようにした静電気防止回路構造による防止策が記載されている。しかし、この防止策では静電気防止回路構造の設置に多くの時間と費用が必要となる。
【０００９】
【特許文献１】特開平１０−３２０５７号公報（第３頁、図１，２）
【発明の開示】
【発明が解決しようとする課題】
【００１０】
上記のように、多数のイオナイザの設置を不要とする特許文献１に記載の静電気防止回路構造は、設置に多くの時間と多額の費用が必要になるという問題がある。
【００１１】
この発明は上記の問題に鑑みてなされたものであり、静電気防止回路構造のような別回路を設けず、電気コネクター自体における静電気の発生を抑制することにより、製品に内蔵されているＩＣ等の電子部品が電気コネクターの静電気によって破壊される等の静電気障害が発生しないようにすることを目的とする。
【課題を解決するための手段】
【００１２】
この発明に係る第１の電気コネクターは、絶縁性部材及び該絶縁性部材から突出した突出端子を有する雄形コネクターと、上記突出端子が挿入される穴を有する絶縁性部材及び上記穴内部に上記突出端子と電気的に接続される内部端子を有する雌形コネクターとを備え、
上記雄形コネクター及び雌形コネクターのいずれか一方の上記絶縁性部材が電子部品を内蔵する製品に取り付けられ、上記電子部品から電気信号を送信あるいは上記電子部品へ電気信号を受信するものであり、
上記雄形コネクターの絶縁性部材と上記雌形コネクターの絶縁性部材とは、相互に擦れ合って嵌り合うカセット式に形成された電気コネクターにおいて、
上記雄形コネクターの絶縁性部材の外周面及び上記雌形コネクターの絶縁性部材の外周面の少なくともいずれか一方の外周面が、静電気上の導体である材料で覆われているものである。
【００１３】
この発明に係る第２の電気コネクターは、絶縁性部材及び該絶縁性部材から突出した突出端子を有する雄形コネクターと、上記突出端子が挿入される穴を有する絶縁性部材及び上記穴内部に上記突出端子と電気的に接続される内部端子を有する雌形コネクターとを備え、
上記雄形コネクター及び雌形コネクターのいずれか一方の上記絶縁部材が電子部品を内蔵する製品に取り付けられ、上記電子部品から電気信号を送信あるいは上記電子部品へ電気信号を受信するものであり、
上記雄形コネクターの絶縁性部材と上記雌形コネクターの絶縁性部材とは、相互に擦れ合って嵌り合うカセット式に形成された電気コネクターにおいて、
上記雄形コネクターの絶縁性部材と上記雌形コネクターの絶縁性部材は同一材料で構成されているものである。
【００１４】
この発明に係る第３の電気コネクターは、絶縁性部材及び該絶縁性部材から突出した突出端子を有する雄形コネクターと、上記突出端子が挿入される穴を有する絶縁性部材及び上記穴内部に上記突出端子と電気的に接続される内部端子を有する雌形コネクターとを備え、
上記雄形コネクター及び雌形コネクターのいずれか一方の上記絶縁部材が電子部品を内蔵する製品に取り付けられ、上記電子部品から電気信号を送信あるいは上記電子部品へ電気信号を受信するものであり、
上記雄形コネクターの絶縁性部材と上記雌形コネクターの絶縁性部材とは、相互に擦れ合って嵌り合うカセット式に形成された電気コネクターにおいて、
上記雄形コネクターの絶縁性部材及び上記雌形コネクターの絶縁性部材の少なくともいずれかの絶縁性部材は、静電気上の半導体であるものである。
【００１５】
この発明に係る第４の電気コネクターは、端子固定用の部材及び該端子固定用の部材から突出した突出端子を有する雄形コネクターと、上記突出端子が挿入される穴を有する部材及び上記穴内部に上記突出端子と電気的に接続される内部端子を有する雌形コネクターとを備え、
上記雄形コネクター及び雌形コネクターのいずれか一方の上記部材が電子部品を内蔵する製品に取り付けられ、上記電子部品から電気信号を送信あるいは上記電子部品へ電気信号を受信するものであり、
上記雄形コネクターの端子固定用の部材と上記雌形コネクターの穴を有する部材とは、相互に擦れ合って嵌り合うカセット式に形成された電気コネクターにおいて、
上記製品に取り付けられたコネクターの上記部材は上記端子を電気的に絶縁する絶縁材料からなり、
上記製品に取り付けられていないコネクターの上記部材は、静電気上の導体である材料からなるものである。
【発明の効果】
【００１６】
この発明に係る第１の電気コネクターによれば、上記雄形コネクターの絶縁性部材の外周面及び上記雌形コネクターの絶縁性部材の外周面の少なくともいずれか一方の外周面が、静電気上の導体である材料で覆われているので、発生電荷が緩和されるとともに、接地の効果を有する静電気上の導体である材料が電荷が発生した絶縁性部材に近接していることによって、電気コネクター全体の電位が下げられ、製品に対する放電などの静電気障害を防止することができる。
【００１７】
この発明に係る第２の電気コネクターによれば、雄形コネクターの絶縁性部材と雌形コネクターの絶縁性部材は同一材料で構成されているので、雄形コネクター及び雌形コネクターの絶縁性部材同士が擦れあっても静電気は発生しないので、製品に対する放電などの静電気障害を防止することができる。
【００１８】
この発明に係る第３の電気コネクターによれば、上記雄形コネクターの絶縁性部材及び上記雌形コネクターの絶縁性部材の少なくともいずれかの絶縁性部材が、静電気上の半導体であるで、発生電荷が緩和され、製品に対する放電などの静電気障害を防止することができる。
【００１９】
この発明に係る第４の電気コネクターによれば、製品に取り付けられていないコネクターの部材は、静電気上の導体である材料からなるので、発生電荷が緩和され、製品に対する放電などの静電気障害を防止することができる。
【発明を実施するための最良の形態】
【００２０】
図１は、静電気ハンドブック（静電気学会編、平成１０年１１月２５日  株式会社  オーム社発行）の２０３〜２０４頁に記載された、絶縁材料の静電気上の導電性を示す図である。同図に示されているように、絶縁材料は電気抵抗率が１０８Ω・ｍ以下の静電気上は導体となるもの、電気抵抗率が１０１２Ω・ｍを超える静電気上は不導体となるもの、静電気上の導体と不導体の中間領域にあり、静電気上は半導体となるものに分けられる。
【００２１】
この発明は、電気コネクターの端子を絶縁する絶縁性部材の一部または全部に、静電気上は導体または半導体となる材料を利用する、あるいは、雄形コネクター及び雌形コネクターの絶縁性部材に同一の絶縁材料を用いることによって、電子部品が搭載された製品に静電気障害が発生しないようにしたものである。以下、実施の形態１〜６を説明する。
【００２２】
実施の形態１．
図２は、この発明に係る電気コネクターの実施の形態１を示す斜視図（ａ）及び断面図（ｂ）である。
図２に示したように、製品筐体６に固定された雄形コネクター４は、絶縁性部材５ｂ及び絶縁性部材５ｂから突出した突出端子５ａを有し、雄形コネクター４と電気的に接続される雌形コネクター１は、突出端子５ａが挿入される穴を有する絶縁性部材２ｂと、穴内部に突出端子５ａと電気的に接続される内部端子３とを有し、絶縁性部材２ｂの外周を取り巻くように、静電気上は導体としての特性を有する静電気上の導体２ａが設けられている。
【００２３】
雌形コネクター１の絶縁性部材２ｂ及び静電気上の導体２ａと、雄形コネクター４の絶縁性部材５ｂとは、相互に擦り合わされて嵌り合うカセット式に形成されている。
【００２４】
絶縁性部材２ｂは、内部端子３を電気的に絶縁する絶縁材料であればよく、例えば、電気抵抗率が１×１０１５Ω・ｍ以上であるポリブチルテレフタレート（ＰＢＴ）等がある。
【００２５】
静電気上の導体２ａは、電気抵抗率が１．０Ω・ｍの導電性ナイロン、金属の他、絶縁物の中にカーボンブラック、金属粉などの導電性物質を混入した電気抵抗率が１×１０８Ω・ｍ以下の絶縁材料等があり、静電気上は導体であるものであれば適用することができる。
【００２６】
雄形コネクター４の絶縁性部材５ｂは、突出端子５ａを電気的に絶縁する絶縁材料であればよく、例えば、電気抵抗率が１×１０１５Ω・ｍのポリフェニレンサルファイド（ＰＰＳ）及びポリプロピレン（ＰＰ）等の絶縁材料を用いることができる。
【００２７】
この実施の形態１によれば、抜き差しによって雄形コネクター４の絶縁性部材５ｂと雌形コネクター１の絶縁性部材２ｂとが擦れ合って、絶縁性部材２ｂに電荷が蓄積されたとき、電荷を蓄積した雌形コネクター１の絶縁性部材２ｂの外周で静電気上の導体２ａの一部が接しているので電荷が緩和される。
【００２８】
また、絶縁性部材２ｂにおける発生電荷Ｑに対して、内部端子３を一方の電極とし、この内部端子３と絶縁性部材２ｂ外周部のアース電極との距離をｄ、絶縁性部材２ｂの外周面の面積をＳとしたときに、内部端子３とアース電極との電位Ｖは、下記式（１）のように表される。下記式（１）から明らかなように、静電気上の導体２ａが設けられていない場合に比べ、アースとして機能する静電気上の導体２ａが絶縁性部材２ｂと接近した距離ｄで設けられている場合は、蓄積された一定の電荷量（Ｑ）に対して見かけ上の絶縁性部材２ｂの電位Ｖが低くなり、製品に内蔵された電子部品に対して蓄積された電荷が放電されなくなる。なお、式（１）において、Ｃは静電容量、εは誘電率である。
Ｑ＝Ｃ・Ｖ＝（ε・Ｓ／ｄ）・Ｖ  …（１）
【００２９】
図３は、この発明に係る電気コネクターの実施の形態１の別の例を示す斜視図（ａ）及び断面図（ｂ）（ｃ）である。
図３（ｂ）に示したように、絶縁性部材２ｂの周囲に静電気上の導体２ａを有する雌形コネクター１を製品側に用いて、筐体６に固定するようにしてもよい。
【００３０】
また、図３（ｃ）に示したように、雄形コネクター４の絶縁性部材５ｂの外周を取り巻くように静電気上の導体５ｃを設けてもよく、雄形コネクター４の絶縁性部材５ｂ及び雌形コネクター１の絶縁性部材２ｂの両方に静電気上の導体２ａ、５ｃを設けてもよい。
【００３１】
また、静電気上の導体２ａは接地線などでアースされていることが好ましい。
【００３２】
また、静電気上の導体２ａ、５ｃはコーティングされたものでもよいが、バルク状であれば、雄形コネクター４と雌形コネクター１との間で抜差しが繰り返されて表面が磨耗しても、長期に安定して静電気障害を防止することができる。
【００３３】
実施の形態２．
図４は、この発明に係る電気コネクターの実施の形態２を示す斜視図（ａ）及び断面図（ｂ）である。
図４において、雌形コネクター１の絶縁性部材２は、雄形コネクター４の絶縁性部材５と同一の材料からなる。剥離帯電や摩擦帯電により生じる静電気は、基本的には電気的な特性が異なる２つの物質Ａ及びＢが接触することによって引き起こされる現象であるので、２つの物質Ａ及びＢに同じ材料を用いた場合、電荷の移動がなく、静電気の発生を抑制することができる。
【００３４】
この実施の形態２によれば、雌形コネクター１の絶縁性部材２の材料を雄形コネクター４の絶縁性部材５と同一の絶縁材料としたので、静電気の発生自体が防止され、静電気の発生を防止させる特別な対策や、発生した静電気を速やかに逃がす特別な対策を採ることなく、製品に内蔵された電子部品の静電気障害を防止することができる。
【００３５】
なお、この実施の形態２においては、雄形コネクター４が製品筐体６に取り付けられている例を示したが、逆に、雌形コネクター１の方が製品筐体６に取り付けられていてもよい。
【００３６】
実施の形態３．
この実施の形態３は、図４において、雌形コネクター１の絶縁性部材２として、静電気上の導体と静電気上の不導体との間の特性を有し、静電気上は半導体としての特性を有する絶縁材料（電気抵抗率が１×１０１２Ω・ｍ以下、１×１０８Ω・ｍを超える絶縁材料）を使用したものである。
【００３７】
雄形コネクター４の絶縁性部材５は、突出端子５ａを電気的に絶縁する絶縁材料であればよく、例えば、電気抵抗率が１×１０１５Ω・ｍ以上の、ポリフェニレンサルファイド（ＰＰＳ）、ポリプロピレン（ＰＰ）等を使用することができる。
【００３８】
絶縁性部材２には、例えば、電気抵抗率が１×１０９〜１×１０１０Ω・ｍのフェノール樹脂、１×１０９〜１×１０１１Ω・ｍのポリ塩化ビニル、１×１０８〜１×１０１１Ω・ｍの天然ゴム、１×１０８〜１×１０９Ω・ｍのニトリルゴム等を使用することができる。
【００３９】
絶縁性部材２の材料として、静電気上は半導体である絶縁材料を使用することにより、絶縁性部材２の材料自体における発生電荷が緩和され、雄形コネクター４の絶縁性部材２に電荷が保持されることはなく、製品に対する放電による静電気障害を防止することが可能になる。
【００４０】
絶縁性部材２の電気抵抗率は、内部端子３からの電気信号がリークしないように、１×１０８Ω・ｍを超える範囲とする。
【００４１】
なお、この実施の形態３では、雌形コネクター１の絶縁性部材２のみ、静電気上は半導体である絶縁材料を使用した例を示したが、雄形コネクター４の絶縁性部材５ｂを静電気上は半導体である絶縁材料としてもよく、雄形コネクター４の絶縁性部材５ｂ及び雌形コネクター１の絶縁性部材２の両方に静電気上は半導体である絶縁材料を使用してもよい。
【００４２】
また、上記実施の形態１と同様に、絶縁性部材２の外周を取り巻くように静電気上の導体としての特性を有する材料を設けることにより、さらに、製品の静電気障害を防止する効果が大きくなる。
【００４３】
また、雄形コネクター４を製品に取り付けた例を示したが、雌形コネクター１を製品に取り付けてもよい。
【００４４】
実施の形態４．
上記実施の形態１ないし３では、雌形コネクター１及び雄形コネクター４の絶縁部材同士が擦れ合うことによって発生する静電気についての対応策を述べた。
【００４５】
絶縁部材同士が擦れ合うことによって発生する静電気の他に、雄形コネクター４の突出端子５ａと雌形コネクター１の絶縁性部材２とが擦れ合うことによっても静電気が発生する。
【００４６】
この実施の形態４では、図５に示すように、上記実施の形態１の雌形コネクター１において、雄形コネクター４の突出端子５ａが挿入される穴２ｄの径を突出端子５ａの径よりも大きくして、突出端子５ａが雌形コネクター１の絶縁性部材２ｂと擦れ合わないようにしている。
【００４７】
また、雌形コネクター１の絶縁性部材２ｂの周囲を取り囲むように静電気上の導体２ａを設けている。
【００４８】
この実施の形態４によれば、突出端子５ａが絶縁性部材２ｂと擦れ合わないので、突出端子５ａと絶縁性部材２ｂとの間で電荷が発生せず、静電気に起因する障害を抑制することができる。
【００４９】
なお、この実施の形態４においては、上記実施の形態１において突出端子５ａが挿入される穴２ｄの径を突出端子５ａの径よりも大きくした例を示したが、上記実施の形態２ないし４において、突出端子５ａが挿入される穴の径を突出端子５ａの径よりも大きくしても、同様の効果が得られる。
【００５０】
実施の形態５．
この実施の形態５は、図５に示したように、穴２ｄを大きく円形にするとともに、雌形コネクター１の絶縁性部材２ｂの周囲を取り囲むように静電気上の導体２ａを設けている。絶縁性部材２ｂには、電気抵抗率が１×１０１３Ω・ｍのナイロンを使用し、静電気上の導体２ａには、電気抵抗率が１．０Ω・ｍの導電性ナイロンを使用した。
【００５１】
図６は、この実施の形態５の雌形コネクター１と、従来形の雌形コネクターとの接触摩擦帯電特性の測定結果を比較して示す図であり、横軸は雄形コネクター４と雌形コネクター１との抜き差し回数であり、縦軸は所定の抜き差し回数後の雌形コネクター１の表面電位を示している。
【００５２】
比較のための雌形コネクター１の絶縁性部材２ｂにはＰＢＴを使用し、突出端子５ａと雌形コネクター１の絶縁性部材２ｂの穴２ｄとは擦れ合う構造とした。絶縁性部材５の材料には、抵抗値が１×１０１５Ω・ｍ以上のＰＰＳ（ポリフェニレンサルファイド）を使用した。
【００５３】
まず、イオナイザで雌形コネクター１及び雄形コネクター４の両方を除電しておき、次に、アース板上に雄形コネクター４が取り付けられた製品を置き、製品の雄形コネクター４に雌形コネクター１を差して抜く作業を所定回数繰返した後、表面電位を測定した。
【００５４】
図６における各測定値は、２回の表面電位測定値の平均値を示している。図６に示されているように、比較のための従来形の雌形コネクターは約４２０Ｖで飽和し、この実施の形態５の雌形コネクター１は約７０Ｖで飽和した。
【００５５】
このように、この実施の形態５の雌形コネクター１の方が従来形の雌形コネクターよりも表面電位が約１／６に低下する。この低下の原因は、絶縁性部材２ｂにナイロンが使用されているため、従来の雌側カセットに使用されているＰＢＴよりも電気抵抗率が約２桁低く、発生した電荷が緩和され易いことと、さらに、絶縁性部材２ｂと近接して導電性ナイロンからなる静電気上の導体２ａがあるので電気コネクターとしての電位が低くなっていることである。
【００５６】
実施の形態６．
雌形コネクターを、図２ないし図５に示した雄形コネクター４の雄側端子５ａの折れ、曲がり、あるいは歪みなどの形状を検査するための治具として用いるものがある。
【００５７】
この実施の形態６は、上記のような検査治具として用いる電気コネクターに関するものである。
【００５８】
電気コネクターを上記のような形状検査用の治具として用いる場合、図４において、雌側カセット１における内部端子３を絶縁する絶縁性部材２に代えて、導電性ナイロンあるは金属等の静電気上は導体である材料を使用することができる。
【００５９】
絶縁性部材２に代えて静電気上は導体である材料を使用することにより、雌形コネクター１は帯電することがなく、発生した電荷を逃がしたり除電したりすることを考慮する必要がなくなる。
【００６０】
絶縁性部材２に代えた静電気上は導体である材料が接地線などでアースされていることはさらに好ましい。
【００６１】
なお、この実施の形態６では、雄形コネクター４が製品側に取り付けられ、雌形コネクター１側に静電気上は導体である材料を適用した例を示したが、雌形コネクター１が製品側に取り付けられ、雄形コネクター４側に静電気上は導体である材料を適用してもよい。
【産業上の利用可能性】
【００６２】
この発明に係る電気コンタクトは、電気コンタクトの抜き差しよって静電気障害が問題となる機器に対して有効に利用することができる。
【図面の簡単な説明】
【００６３】
【図１】絶縁材料の静電気上の導電性を示す図である。
【図２】この発明に係る電気コネクターの実施の形態１を示す斜視図（ａ）及び断面図（ｂ）である。
【図３】この発明に係る電気コネクターの実施の形態１の別の例を示す斜視図（ａ）及び断面図（ｂ）（ｃ）である。
【図４】この発明に係る電気コネクターの実施の形態２を示す斜視図（ａ）及び断面図（ｂ）である。
【図５】この発明に係る電気コネクターの実施の形態４を示す斜視図（ａ）及び断面図（ｂ）である。
【図６】実施の形態６の雌形コネクター１及び従来の雌形コネクターの接触摩擦帯電特性の測定結果を比較して示す図である。
【符号の説明】
【００６４】
１  雌形コネクター、２ａ，５ｃ  静電気上の導体、
２，２ｂ，５，５ｂ  絶縁性部材、３  内部端子、４  雄形コネクター、
５ａ  突出端子、６  製品筐体。
【図１】
2006040559.tif 000003
【図２】
2006040559.tif 000004
【図３】
2006040559.tif 000005
【図４】
2006040559.tif 000006
【図５】
2006040559.tif 000007
【図６】
2006040559.tif 000008